(57)【要約】【課題】  カウンターの奥行き長さに合わせて支持部の長さを予め変えておく必要がなく、種々の奥行き長さを有するカウンターに対応することができるカウンター支持具を提供すること。【解決手段】  壁１１へ取り付けられる取付部２と、取付部２から前方に突出してカウンター１０を支持する支持部３とを備えたカウンター支持具１であって、取付部２から前方に複数の支持部３を突出させるとともに、各支持部３の基端部を中心として水平方向に回動自在とし、壁１１から支持部３の先端部までの距離を伸縮自在であるようにする。【選択図】図３
2005304889.tif 000002
【特許請求の範囲】
【請求項１】
壁等へ取り付けられる取付部と、
前記取付部から前方に突出してカウンターを支持する支持部とを備えたカウンター支持具であって、
取付部から前方に複数の支持部を突出させるとともに、各支持部の基端部を中心として水平方向に回動自在とし、壁面から前記支持部の先端部までの距離を伸縮自在としたことを特徴とするカウンター支持具。
【請求項２】
前記取付部は前記各支持部の基端部を軸着する軸支部を備え、各支持部の基端部を近接させた状態で前記軸支部に軸着させてなることを特徴とする請求項１に記載のカウンター支持具。
【発明の詳細な説明】
【技術分野】
【０００１】
本発明は、壁等に設置されるカウンターを支持するためのカウンター支持具に関するものである。
【背景技術】
【０００２】
従来より、壁等にカウンターを設置する際、壁等へ取り付けられる取付部と、カウンターの下面側に取り付けられてカウンターを支持する支持部とを備えた略Ｌ字型のカウンター支持具が用いられている。（特許文献１）
特許文献１におけるカウンター支持具においては、支持部が取付部に対して上下方向に回動可能であり、カウンターを水平状態から鉛直方向までの角度で支持することができるようになっている。
【特許文献１】実開昭６１−２８４４４号公報
【発明の開示】
【発明が解決しようとする課題】
【０００３】
しかしながら、上記特許文献１におけるカウンター支持具においては、カウンターの奥行き長さに合わせて支持部の長さも予め変えておく必要があり、その結果、種々の奥行き長さを有するカウンターに対応させるためには、支持部の長さの異なる複数種類のカウンター支持具を用意しておく必要があった。
【０００４】
本発明は、かかる事由に鑑みてなしたもので、その目的とするところは、カウンターの奥行き長さに合わせて支持部の長さを予め変えておく必要がなく、種々の奥行き長さを有するカウンターに対応することができるカウンター支持具を提供することにある。
【課題を解決するための手段】
【０００５】
上記課題を解決するために、本発明では、第１には、壁等へ取り付けられる取付部と、取付部から前方に突出してカウンターを支持する支持部とを備えたカウンター支持具であって、取付部から前方に複数の支持部を突出させるとともに、各支持部の基端部を中心として水平方向に回動自在とし、壁面から支持部の先端部までの距離を伸縮自在であるようにする。
【０００６】
第２には、取付部は各支持部の基端部を軸着する軸支部を備え、各支持部の基端部を近接させた状態で軸支部に軸着させてなるようにする。
【発明の効果】
【０００７】
上記本発明の第１のカウンター支持具では、奥行き長さの異なるカウンターに対しても支持部の長さを予め変えておく必要がなく、共通して取り付けることができる。そのため、支持部の長さの異なる複数種類のカウンター支持具を用意しておく必要がなく、コストダウンが可能になる。
【０００８】
上記本発明の第２のカウンター支持具では、上記第１のカウンター支持具と同様の効果が得られ、また、支持部は複数からなり、先端部を左右に広げた状態でカウンターを支持できるので、1つカウンター支持具でカウンターを左右方向に広い範囲で支持することができる。そのため、長尺のカウンターを支持する際に、カウンター支持具の設置数を減らすことができる。
【発明を実施するための最良の形態】
【０００９】
本発明の実施形態におけるカウンター支持具１について、図１〜４に基づいて説明する。本実施形態におけるカウンター支持具１は、壁等へ取り付けられる取付部２と、取付部２から前方に突出してカウンター１０を支持する支持部３とを備えている。
【００１０】
取付部２から前方に２つの支持部３を突出させるとともに、各支持部３の基端部を中心として水平方向に回動自在とし、壁面から支持部３の先端部までの距離を伸縮自在としている。
【００１１】
取付部２には水平方向に貫通した取付孔５が複数設けられており、ネジや釘等を用いてカウンター支持具１を壁等へ取り付けることができる。
【００１２】
また、取付部２の上下端部には軸支部４が設けられており、各支持部３の基端部を近接させた状態で軸支部４に軸着される。支持部３は左右に２つ設けられ、軸支部４を中心として左右に回動させることができる。
【００１３】
支持部３には、上下方向に貫通した取付孔５が複数設けられており、ネジや釘等を用いてカウンター支持具１にカウンター１０を取り付けることができる。
【００１４】
また、支持部３には、先端部の上端から基端部の下端にかけて補強部６が設けられている。この補強部６によって、支持部３に下向きにかかる負荷に対してより強度を向上させることができる。
【００１５】
次に本実施形態におけるカウンター支持具１を用いて壁１１へカウンター１０を取り付ける方法について説明する。
【００１６】
図３に示すように、カウンターの奥行き長さＨが支持部３の奥行き長さＬよりも小さい場合には、支持部３を左右に開いた状態で、取付孔５からネジや釘等を用いて取付部２と壁１１、及び支持部３とカウンター１０とをそれぞれ固定する。この時、カウンター１０を上方から見た際に支持部３の先端部が少なくともカウンター１０によって隠れるようにしておくことが好ましい。
【００１７】
また、図４に示すように、カウンターの奥行き長さＨが支持部３の奥行き長さＬよりも大きい場合には、支持部３を左右に開かずに、閉じた状態で上記と同様に取付部２と壁１１、及び支持部３とカウンター１０とをそれぞれ固定すればよい。
【００１８】
ここで、補強部６は、左右２つの支持部３が対向する側に、支持部３の横方向の厚みの約半分の厚みを有する板状に形成されている。これにより、左右２つの支持部３を閉じた状態で取付孔５からネジや釘等を用いて支持部３とカウンター１０を固定する際、各支持部３の両側から作業をすることができるので、作業がしやすくなる。
【００１９】
以上のように、本実施形態におけるカウンター支持具１は、奥行き長さの異なるカウンター１０に対しても支持部３の長さを予め変えておく必要がなく、共通して取り付けることができるものである。そのため、支持部３の長さの異なる複数種類のカウンター支持具１を用意しておく必要がなく、コストダウンが可能になる。
【００２０】
また、支持部３は複数からなり、先端部を左右に広げた状態でカウンター１０を支持できるので、1つカウンター支持具１でカウンター１０を左右方向に広い範囲で支持することができる。そのため、長尺のカウンター１０を支持する際に、カウンター支持具１の設置数を減らすことができる。
【００２１】
また、取付部２に備えられた軸支部４を中心として支持部３を水平方向に回動させるので、支持部３をスムーズに回動させることができる。
【００２２】
また、支持部３に補強部６が設けられているので、支持できる重量をより大きくすることができる。
【００２３】
なお、本実施形態においては、２つの支持部３をそれぞれ異なる軸支部４に軸着させているが、これに限定されるものではなく、例えば、１つの軸支部４に２つの支持部３を軸着させてもよい。
【図面の簡単な説明】
【００２４】
【図１】本発明の実施形態におけるカウンター支持具１の上面図である。
【図２】同実施形態におけるカウンター支持具１の側面図である。
【図３】同実施形態におけるカウンター支持具１を用いてカウンター１０を壁面１１に取り付けた状態を上方から見た透視図である。
【図４】同実施形態におけるカウンター支持具１を用いてカウンター１０を壁面１１に取り付けた状態を上方から見た透視図である。
【符号の説明】
【００２５】
１  カウンター支持具
２  取付部
３  支持部
４  軸支部
５  取付孔
６  補強部
【図１】
2005304889.tif 000003
【図２】
2005304889.tif 000004
【図３】
2005304889.tif 000005
【図４】
2005304889.tif 000006